(57)【要約】【課題】  起動時の冷媒寝込み状態から迅速かつ確実に脱出し、早期に能力発揮させることができる空気調和機を提供する。【解決手段】  空気調和機の運転開始後の圧縮機（図示せず）の初回起動時に低周波数で所定時間（例えば３分間）運転し、以降の通常起動時に前記圧縮機を低周波数でかつ前記所定時間より短い時間（１分）運転するようにして、初回起動時に寝込み状態から脱出し、２回目以降の通常起動時には、所定の周波数に早く到達させるようにする。【選択図】  図２ 
2005061739.tif 000002
【特許請求の範囲】
【請求項１】
周波数可変型の圧縮機、四方弁、室外側熱交換器、減圧装置、室内側熱交換器を環状に接続してなる空気調和機において、前記空気調和機の運転開始後の前記圧縮機の初回起動時に前記圧縮機を低周波数で所定時間運転し、以降の通常起動時に前記圧縮機を低周波数でかつ前記所定時間より短い時間運転することを特徴とする空気調和機。
【請求項２】
圧縮機の初回起動時に、前記圧縮機の運転が所定時間以内に停止した場合は、前記圧縮機の次の起動時を初回とみなし、前記圧縮機を低周波数で所定時間運転することを特徴とする請求項１記載の空気調和機。
【発明の詳細な説明】
【技術分野】
【０００１】
本発明は、空気調和機に関すもので、特にヒートポンプ式の空気調和機の圧縮機の保護に関するものである。
【背景技術】
【０００２】
従来の空気調和機では、圧縮機の寝込みを防止するために、図４に示すような、圧縮機の初回起動時並びに通常運転時のサーモオフ後の通常起動時の都度、低周波数で、所定時間運転して、圧縮機のオイル潤滑性能を確保していた（例えば、特許文献１参照）。
【特許文献１】特開昭６０−２２８７８２号公報
【発明の開示】
【発明が解決しようとする課題】
【０００３】
上記従来の構成では、所定時間低周波数で圧縮機を運転することで、初回起動時に起こりがちな寝込み時の圧縮機保護はできるものの、寝込み状態とならない２回目以降の通常起動時にも、同じように所定時間低周波数で運転するため、正規の能力を発揮するまで時間がかかるという課題を有していた。
【０００４】
本発明はこのような従来の課題を解決するものであり、圧縮機の初回起動時、すなわち寝込み起動時に圧縮のオイルの飛び出しを抑制し、寝込みが発生しない２回目以降の通常起動時には圧縮機の運転周波数を早く立ち上げ、十分な能力を早く供給する事ができる空気調和機を提供することを目的とするものである。
【課題を解決するための手段】
【０００５】
上記従来の課題を解決するために本発明は、空気調和機の運転開始後の圧縮機の初回起動時に前記圧縮機を低周波数で所定時間運転し、以降の通常起動時に前記圧縮機を低周波数でかつ前記所定時間より短い時間運転するようにしたもので、圧縮機の初回起動時に低周波数で所定時間運転することにより、圧縮機のオイル内に溶け込んだ冷媒は緩やかに放出されるため、オイルの急激な発泡現象が抑制され、圧縮機内のオイルが吐出されることなく内部に残留し、潤滑性能が維持されるとともに、寝込み状態が解消されている２回目以降の通常起動時には、低周波数での運転時間を短くし、所定の周波数に早く到達させることにより、必要能力を早く供給することができる。
【発明の効果】
【０００６】
本発明の空気調和機は、運転開始時の圧縮機の寝込み起動時に、オイルの飛び出しを抑制し、２回目以降の圧縮機の通常起動時には、圧縮機の運転周波数を早期に立ち上げ、十分な能力を早く供給する事ができる。
【発明を実施するための最良の形態】
【０００７】
第１の発明は、周波数可変型の圧縮機、四方弁、室外側熱交換器、減圧装置、室内側熱交換器を環状に接続してなる空気調和機において、前記空気調和機の運転開始後の前記圧縮機の初回起動時に前記圧縮機を低周波数で所定時間運転し、以降の通常起動時に前記圧縮機を低周波数でかつ前記所定時間より短い時間運転するようにしたもので、圧縮機の初回起動時に低周波数で所定時間運転することにより、圧縮機のオイル内に溶け込んだ冷媒は緩やかに放出されるため、オイルの急激な発泡現象が抑制され、圧縮機内のオイルが吐出されることなく内部に残留し、潤滑性能が維持されるとともに、寝込み状態が解消されている２回目以降の通常起動時には、低周波数での運転時間を短くし、所定の周波数に早
く到達させることにより、必要能力を早く供給することができる。
【０００８】
第２の発明は、圧縮機の初回起動時に、前記圧縮機の運転が所定時間以内に停止した場合、前記圧縮機の次の起動時を初回とみなし、前記圧縮機を低周波数で所定時間運転するようにしたもので、圧縮機の初回の低周波数での運転時間が短くて、圧縮機の寝込み状態が十分緩和されていない場合でも、２回目の起動時に再度低周波数で所定時間運転することで寝込み状態を完全に脱出することができ、以降の通常起動時には、所定の周波数に早期に移行でき、圧縮機の信頼性を高める事ができる。
【０００９】
以下、本発明の第１の実施の形態について、図面を参照しながら説明する。なお、この実施の形態によって本発明が限定されるものではない。
【００１０】
（実施の形態１）
以下、本発明の第１の実施の形態を、図１、２を用いて説明する。
【００１１】
図１に示されるように、本実施の形態の空気調和機は、周波数可変型の圧縮機１、四方弁２、室外側熱交換器３、減圧装置４、室内側熱交換器５を環状に接続して、ヒートポンプ式冷凍サイクルを形成している。
【００１２】
図２は、圧縮機１の起動周波数と運転時間の関係を示す図で、運転開始後の初回起動時すなわち第１回目の起動時に、３０ヘルツの低周波数で３分間運転した後、所定の周波数に移行するもので、低周波数での運転中に圧縮機１のオイル内に溶け込んだ冷媒は緩やかに放出されるため、オイルの急激な発泡現象が抑制される。このため、圧縮機１内のオイルが冷凍サイクル内に吐出されることなく内部に残留し、潤滑性能を維持することができる。
【００１３】
そして、運転時間が経過し、室温が設定温度に達し、一旦サーモオフ（圧縮機１の運転が停止）した後の２回目以降の通常起動時には、寝込みの問題は解決されているので、３０ヘルツの低周波数での運転時間を１分間と短く設定する。これにより、室内からの要求負荷に対応する所定周波数へ早く移行させることができる。
【００１４】
（実施の形態２）
以下、本発明の第２の実施の形態を図３を用いて説明する。なお、上記第１の実施の形態と同一部分については、同一符号、名称を用いて、その説明を省略する。
【００１５】
図３は、本実施の形態の空気調和機の圧縮機１の起動周波数と運転時間の関係を示すもので、運転開始後の圧縮機１の初回起動時に、３０ヘルツの低周波数で運転を開始して、３分以内に圧縮機１の運転がサーモオフ等で停止した場合には、２回目(次回)の起動を第１回目の起動とみなし、３０ヘルツの低周波数での運転を改めて３分間実施する。これ以降の通常起動時には、第１の実施の形態同様、３０ヘルツの低周波数での運転時間は１分間とする。
【００１６】
以上のように、本実施の形態によれば、第１回目の低周波数での運転時間が短く、圧縮機の寝込み状態が十分緩和されていない場合でも、２回目の起動時の低周波数運転で寝込み状態を確実に脱出し、以降の毎起動時に、短い低周波数運転を行い、その後所定の周波数に早期に移行させて、能力を早期に立ち上げる事ができる。
【産業上の利用可能性】
【００１７】
以上のように、本発明にかかる空気調和機は、運転開始時の圧縮機の初回起動時の寝込み状態から確実に脱出し、以降の通常起動時に、早期に所定の能力まで立ち上げる事がで
きるので、空気調和機分野で非常に有用である。
【図面の簡単な説明】
【００１８】
【図１】本発明の第１の実施の形態を示す空気調和機の冷凍サイクル図
【図２】同空気調和機の圧縮機の運転状態を示す圧縮機周波数と運転時間のチャート
【図３】本発明の第２の実施の形態を示す空気調和機の圧縮機の運転状態を示す圧縮機周波数と運転時間のチャート
【図４】従来の空気調和機の圧縮機の運転状態を示す圧縮機周波数と時間のチャート
【符号の説明】
【００１９】
１  圧縮機
２  四方弁
３  室外側熱交換器
５  室内側熱交換器
【図１】
2005061739.tif 000003
【図２】
2005061739.tif 000004
【図３】
2005061739.tif 000005
【図４】
2005061739.tif 000006